Podtech/llm-jp-corpus-v4-ja_patent huggingface dataset:
(57)【要約】      （修正有）【課題】米飯を直接手で持つことなく、清潔に食すことが出来る、お洒落な携帯米飯食品を提供する。【解決手段】小麦粉を主体とした生地に調味料や魚介類、肉類、野菜等を混合して味付けして焼き上げたアイスクリームコーン２に、任意の味付けをした米飯１を盛り付ける。この場合、米飯１をアイスクリームコーン２の中に深く入り込むように詰め込めば、喫食する際に米飯１とアイスクリームコーン２を同時に美味しく味わうことが出来る。【選択図】図１
0003193959.tif 000002
【実用新案登録請求の範囲】
【請求項１】
調味したアイスクリームコーンの開口部に米飯が入っていることを特徴とする、携帯米飯食品。
【考案の詳細な説明】
【技術分野】
【０００１】    本考案は、片手で清潔に食することが出来る携帯味付き米飯食品に関するものである。
【背景技術】
【０００２】  従来からある携帯できる味付き米飯にはおむすびがあった。おむすびの形態として、おむすびの表面に胡麻などの粒状の具材をまぶしたものや、海苔や紫蘇の葉あるいはおぼろコンブ等の可食性シートで包んだものや、海苔巻き、稲荷寿司等があった。【０００３】  さらに、天ぷらにしたおむすび（特許文献１）や串に刺したおむすび（特許文献２）も考案されている。
【先行技術文献】
【特許文献】
【０００４】
【特許文献１】実用新案登録第３０２７５４５号公報
【特許文献２】実用新案登録第３０６２８８９号公報
【考案の概要】
【考案が解決しようとする課題】
【０００５】  従来からある、表面に胡麻などの粒状の具材をまぶした形態のおむすびでは、表面の具材が手に付着して手が汚れ、食べ進めるうちに形が崩れ落ちる場合があった。【０００６】  同様に海苔などの薄い可食性シートで包んだおむすびや海苔巻きも、米飯の湿気等で柔らかくなった可食性シートが破れた箇所や握っている指の間から米飯がこぼれ落ち易くなる場合があった。【０００７】  また、稲荷寿司は油揚げを甘辛く煮付けているので、煮汁が垂れてくるので喫食の際は箸や皿などの道具が必要であった。【０００８】  特許文献１においては、おむすびに小麦粉の衣をつけて油で揚げており、直接素手で掴むと手が汚れるばかりでなく、ある程度の時間放置すると表面に油が滲んできて風味や食感を損ねる。【０００９】  特許文献２においては、おむすびを串に刺して焼くことによってその表面を固めてあるが、齧る角度によってはおむすびが崩れて串から外れ落ちる場合がある。【００１０】  上記のような事情に鑑み、本考案は、調味したアイスクリームコーンに入れることによって片手で清潔に食することが出来る米飯を提供することを目的とする。
【課題を解決するための手段】
【００１１】  本考案に係る米飯を入れるアイスクリームコーンは、小麦粉を主体とした生地に調味料や魚介類、肉類、野菜等を混合して味付けして焼き上げたものである。
【考案の効果】
【００１２】  本考案に係る米飯によれば、アイスクリームコーンに入れることにより、片手でかつ手が汚れず清潔に食することが出来る。また見た目がお洒落である。
【図面の簡単な説明】
【００１３】
【図１】本考案の米飯の実施形態を示す概略図である。
【考案を実施するための形態】
【００１４】  本考案の実施形態は、米飯１とアイスクリームコーン２とを有している。
【００１５】  まず、前記米飯１は通常の米飯と同様の炊き方で炊飯する。この米飯１は、白飯や炊き込みご飯の他に、混ぜご飯や酢飯を用いてもよい。
【００１６】  次に、アイスクリームコーン２は、小麦粉を主原料とする生地に海苔、鰹節、ごま、佃煮、梅干、醤油、砂糖等のご飯と相性がよい具材や調味料を加えて混練し、フレアートップコーンやワッフルコーン等の任意の形に焼き上げる。
【００１７】  前記の米飯１を前記アイスクリームコーン２の開口部に盛り付ける。この場合、米飯１をアイスクリームコーン２の中に深く入り込むように詰め込めば、喫食する際に米飯１とアイスクリームコーン２を同時に美味しく味わうことが出来る。
【産業上の利用可能性】
【００１８】  従来のおにぎりよりも見た目が華やかになり、ディッシャーを用いて米飯を成形すれば更に衛生的かつ効率的に作成可能な携帯米飯食品として、遊園地や祭りなどの行楽地の屋台で取り扱っても違和感が無く、新しい形態の軽食を提供できる。
【符号の説明】
【００１９】１  米飯
２  アイスクリームコーン本体
３  アイスクリームコーンの生地に混ぜた具材
【図１】
0003193959.tif 000003
(57)【要約】      （修正有）【課題】顔や頭を暑さから守ることができる扇子の先からミストを放出する器具を提供する。【解決手段】小型のミスト発生装置を鞄又はベルトに取り付け、ミスト発生装置の水タンクから水をポンプでパイプ５に圧送し、パイプ５の先を扇子６の先のミスト放出口７に取り付け、ミスト発生装置又は扇子６の要８の部分に取り付けたポンプのスイッチ９を押し、ミスト１０を発生させ顔や頭を冷やすようにした器具である。【選択図】図１
0003193958.tif 000002
【実用新案登録請求の範囲】
【請求項１】
ミスト発生装置を鞄の中又はベルトに取り付け、ミスト発生装置内の水を圧送するポンプのホースを、扇子の先のミスト放出口に取り付け、ミスト発生装置又は扇子の要の位置にポンプのスイッチを取り付け、扇子を扇ぎながらスイッチを押すとミスト放出口よりミストが放出され、顔や頭にかかるため気温が下がり涼しくなることを特徴とする、扇子の先からミストを放出する器具。
【考案の詳細な説明】
【技術分野】
【０００１】  本考案は、鞄の中又はベルトにミスト発生装置を取り付け、ミスト発生装置と扇子とをパイプで繋ぎ、スイッチを押すことで扇子の先端からミストを放出して顔や頭を暑さから守ることを特徴とする。
【背景技術】
【０００２】従来の日傘では太陽を遮るだけであるが、最近のように温度が３５度のように高くなると傘の内部の温度も高くなり日傘の役目をしなくなる。
特に男性は日傘をさすのに抵抗があるため帽子を被るが、直射日光は防げても外気温が高いため顔が高温になる。
【考案の概要】
【課題を解決しようとする課題】
【０００３】課題を解決するには、ミスト発生装置から水をくみ上げ圧送するポンプのパイプを、扇子の先端のミスト放出口に取り付け、ミスト発生装置を鞄の中又はベルトに止め、ミスト発生装置のポンプのスイッチを入れるとミストの放出口よりミストが放出され顔や頭の温度が下がると共に髪と顔にミストかかり潤う。
【考案が解決するための手段】
【０００４】そこで本考案は、以上の課題を解決するためポンプのスイッチを扇子の要等に取り付けると、扇子を扇ぐと同時にミストが放出されるため涼しくなる。
【考案の効果】
【０００５】さきに述べたように、日傘をさしても外気温が高くなると熱風が傘の内部に入り込むため防ぎようがないが、本考案を使用すれば直接扇子の風とミストが顔と頭にあたるため涼しくなる。
【図面の簡単な説明】
【０００６】
【図１】本考案のミスト発生装置からホースを伸ばし、ホースの先を扇子の先のミスト放出口に取り付けた図である。
【図２】本考案の小型のミスト発生装置である。
【考案を実施するための形態】
【０００７】いか本考案に係るミスト発生装置を図により説明すると、小型のミスト発生装置１を鞄の中に収納し又はベルトに取り付け、水タンク２の上部に水３を圧送するポンプ４を取り付け、ポンプ４からのパイプ５を伸ばし扇子６の先のミスト放出口７に取り付ける。
ポンプ４のスイッチはミスト発生装置１に取り付けても良いが、扇子６の要８の位置にポンプのスイッチ９を取り付けると、扇子６を扇ぐと同時に扇子６の先のミスト放出口７からミスト１０が放出される。
又気温がさほど高くない時はスイッチ９を押さずに扇子のみで扇ぐ。
【符号の説明】
【０００８】１    ミスト発生装置
２    水タンク
３    水
４    ポンプ
５    パイプ
６    扇子
７    ミスト放出口
８    扇子の要
９    ポンプのスイッチ
１０  ミスト
【図１】
0003193958.tif 000003
【図２】
0003193958.tif 000004
(57)【要約】      （修正有）【課題】寺や神社から頂いた数々のお札と破魔矢を立て掛けてお祭りする事ができるお札と破魔矢立て具を提供する。【解決手段】複数のお札１が立て掛けられる溝を設けた数段の立て掛け溝２と両側に破魔矢４を通し穴５に差し込みお札１と一緒にお祭りができるようにする。【選択図】図４
0003193957.tif 000002
【実用新案登録請求の範囲】
【請求項１】
数々のお札が立て掛けられる溝を設けた数段の立て掛け溝と両側に破魔矢を差し込み、お札と一緒にお祭りができるお札と破魔矢立て具。
【考案の詳細な説明】
【技術分野】
【０００１】この考案は寺や神社から頂いた数々のお札と破魔矢を立て掛けてお祭りする事ができる事を解決するお札と破魔矢立て具である。お札と破魔矢を立て掛けてお祭りする特別な場所等がなく箪笥の上に無造作に置くことなく壁に取り付けて使用したり、両面テープを底に貼って棚上に設置して使用したりすることができるようにした物である。
【背景技術】
【０００２】従来は、寺や神社から数々のお札と破魔矢を頂いても適切なお祭りをする場所と複数設置できる物がなく無造作に置いていた。
【考案の概要】
【考案が解決しようとしている課題】
【０００３】寺や神社から複数のお札と破魔矢を頂いてもまとめてお祭りする事ができなく無造作にあちらこちらに置いていた問題点があった。
【課題を解決するための手段】
【０００４】数々のお札１を頂いても、まとめて収納できる立て掛け溝２を数段設けたその溝２にお札１を倒れ防止棒３との間に差し込み立て掛け、破魔矢４も両サイドの破魔矢通し穴５と破魔矢通し穴底６に差し込み、お札１と一緒にお祭りする事ができるようにした。また、壁固定する場合の取り付け穴７を設けて、棚に置く場合は破魔矢の重量により転倒防止のため両面テープをお札と破魔矢立て具の底８に貼って使用する事もできる。
【考案の効果】
【０００５】数々の寺や神社から複数のお札や破魔矢を頂いてもまとめて収納が出来て粗末な取り扱いにならずお祭りが容易に行う事ができる。
【図面の簡単な説明】
【０００６】
【図１】本考案の平面図である。
【図２】本考案の立面図である。
【図３】本考案の断面図である。
【図４】本考案の使用状態を示す斜視図である。
【符号の説明】
【０００７】１  お札
２  立て掛け溝
３  倒れ防止棒
４  破魔矢
５  破魔矢通し穴
６  破魔矢通し穴底
７  取り付け穴
８  お札と破魔矢立て具の底
【図１】
0003193957.tif 000003
【図２】
0003193957.tif 000004
【図３】
0003193957.tif 000005
【図４】
0003193957.tif 000006
(57)【要約】      （修正有）【課題】男性用トイレの衛生、美観、或いは清掃上の問題点になっているところの、必然的に小水が便器内に掛かるようにするための実効性の高い用具を提供する。【解決手段】男性小水用便器を使用する男性の足元位置に設置する踏み台Ｂを用意し、その上面１を該便器方向にかけて低くなるように傾斜させかつ滑り止め状にする。【選択図】図１
0003193954.tif 000002
【実用新案登録請求の範囲】
【請求項１】
男性小水用便器を使用する男性の足元位置に設置する踏み台において、上面を該便器方向にかけて低くなるように傾斜させかつ滑り止め状にしたことを特徴とする男性小水便器用踏み台。
【請求項２】
踏み台における上面箇所が、区分状にされた足を乗せる箇所である請求項１記載の男性小水便器用踏み台。
【考案の詳細な説明】
【技術分野】
【０００１】この考案は、男性小水用便器を使用する男性の足元位置に設置する踏み台に関する。
【背景技術】
【０００２】男性が小水の用を足す際に便器の外、とりわけ手前位置に掛かってしまいトイレ床を汚すケースが多い。これを防ぐために、例えば「一歩前に」のような表示を掲げたり、或いは原寸大の蝿等を便器要所にプリントして、衝動的にそれを小水で流そうとする男の本能に訴えるアイデアもある。
【考案の開示】
【考案が解決しようとする課題】
【０００３】しかしながらこれらは十分実効性のある解決方法にはなっておらず、未だに男性用トイレの衛生、美観、或いは清掃上の問題点になっているのが現状である。本考案はかかる現状を打破し、必然的に小水が便器内に掛かるようになる実効性の高い用具を提供することを課題とする。
【課題を解決するための手段】
【０００４】男性小水用便器Ａを使用する男性の足元位置において、次のような踏み台Ｂを設置するものとする。すなわち足を乗せる上面１を該便器Ａ方向にかけて低くなるように（下り坂状に）傾斜させるとともに滑り止め状にして、これを本考案の踏み台Ｂとする。【０００５】傾斜の角度はおよそ１０°〜３０°、とりわけ２０°前後が好ましく、そのため使用者が滑らないように、該傾斜上面を例えば靴底のような多数の凹凸のある滑り止め状に形成する。【０００６】この踏み台Ｂを用いずに用を足すときの在来の状態を図２に示す。このように人によっては便器Ａの外側の足元に小水が落下しやすい憂いがある。【０００７】これに対し、本考案の踏み台Ｂを用いて用を足すときの状態を図３に示す。このように踏み台Ｂの上面が下り坂状に傾斜していると、その上に立つ人間は必然的に上体を反らしてバランスをとろうとし、その結果、小水の流出角度と落下地点が変わり、首尾よく便器Ａ内に収まることになる。【０００８】なお、踏み台Ｂにおける上面１において、足を乗せる箇所１ａを囲むなどしてそこを区分状にしてもよい。そうすれば使用者は心理的にも正しい位置に立って用を足しやすくなる。【０００９】また便器Ａの下端の形状に合わせ、踏み台Ｂの前方低辺部において、くびれ２を必要に応じ設けるものとする。こうすることにより踏み台Ｂの設置位置が安定する。
【考案の効果】
【００１０】このように本考案によれば、男性用トイレにおける便器外の床面の汚れが著しく減るために衛生的で清掃の負担が大幅に減少し、トイレ環境の向上に大きく貢献できる効果がある。
【考案を実施するための最良の形態】
【００１１】図１に示したような踏み台Ｂの例において、左右幅約３５ｃｍ、前後長約４５ｃｍとして前辺に便器Ａの下端突出部に合わせたくびれ２を形成し、約２０°の傾斜を有する上面は、少なくとも足を乗せる箇所１ａにおいて靴底の滑り止め凹凸状に形成する。なお本考案はかかる例に限定されるものではないが、試作品による実演で作用・効果が確認でき、すこぶる好評であった。
【産業上の利用可能性】
【００１２】本考案に用いられる部材や製作技術は全く現実的な範囲のものであり、また効果やニーズも確かなものであるから、産業上の利用可能性は十分であるといえる。
【図面の簡単な説明】
【００１３】
【図１】本考案一例の見取図
【図２】本考案を使用しない状態を示す説明図
【図３】本考案を使用した状態を示す説明図
【符号の説明】
【００１４】Ａ……男性小水用便器
Ｂ……踏み台
１……上面
１ａ……足を乗せる箇所
２……くびれ
【図１】
0003193954.tif 000003
【図２】
0003193954.tif 000004
【図３】
0003193954.tif 000005
(57)【要約】      （修正有）【課題】取り扱い易く、重量物を持してもずれてしまうことが無く、各種の作業がやり易く、常に手首を保護しているリストバンド付き手袋を提供する。【解決手段】手袋１は、手袋部２の手首端に、手首を覆う、伸縮自在な筒状の、衝撃を軽減するための肉厚のリストバンド部３を一体延長した構成とする。【選択図】図１
0003193956.tif 000002
【実用新案登録請求の範囲】
【請求項１】
手袋部（２）の手首端に、手首を覆う、伸縮自在な筒状のリストバンド部（３）を一体延長したことを特徴とする手袋。
【考案の詳細な説明】
【技術分野】
【０００１】本考案は、手袋とリストバンドを一体にした手袋に関する。
【背景技術】
【０００２】手袋、特に軍手は、防寒具としてはもとよりのこと、農作業や漁獲作業、建築作業、配線作業等の肉体労働の際に作業し易く、手を保護し、手に付く汚れを最小限に抑えることが出来る等、広い用途をもつものである。【０００３】処が上記したような肉体労働は、炎天下の屋外での作業が多いので汗をかき易く、そのため汗を拭うのにシャツの袖等を使用するとシャツが汚れるし、不潔である。別途にタオルや手拭いを使用すれば良いのであるが、汚れた軍手でタオルを使用するとその汚れがタオルに付着してしまうので不都合であり、汗を拭うたびに軍手を外さなければならないようでは手間がかかる。この点、従来より用いられている所謂リストバンドであれば汗を拭うことが出来るが、リストバンドは、スポーツ用、装飾用として用いられる若者向きの製品であって実用性に乏しく、リング状の帯単体であるので、取り扱いが不便である。【０００４】また、従来の軍手は木綿製であることが多く、はめた際に手に対して緩められるので、或る程度の重量物を持つ場合にずれ易く、手首が露出してしまうため、重量物の角が手首の急所部分を傷つける危険性もある。従って、軍手とリストバンドを一体化することが望ましく、以下の如き従術が提案されてきた。
【先行技術文献】
【特許文献】
【特許文献１】実開平６−１６４２０号公報
【特許文献２】登録実用新案第３０８６１８９号公報
【特許文献３】登録実用新案第３０７５６２８号公報
【特許文献４】登録実用新案第３１２４６６８号公報
【考案の概要】
【考案が解決しようとする課題】
【０００５】しかしながら上記文献１は、手袋とリストバンドとが完全に一体ではなく、外した手袋をリストバンド内に収納するとしているが、別体であるため取り扱いが不便であり、紛失の危険性は解消されない。また、文献２では手袋とリストバンドの構成が示されているものの、リストバンドの機能について何ら開示されていない。更に文献３でのリストバンドは単に手首を保護し手袋内に水が浸入しないようにするためのもので、汗拭いの機能についての開示はない。文献４については厚さに関する記載が開示されていなく、手首を傷つけることからの保護であり、本来のサポーターの効力である手首への衝撃からの保護についての開示はない。
【課題を解決するための手段】
【０００６】上記課題を解決するため、本考案の手袋は、手袋部の手首端に、手首を覆う、伸縮自在な筒状の、衝撃を軽減するための肉厚のリストバンド部を一体延長した構成を特徴とする。
【考案の効果】
【０００７】よって、本考案の手袋では、手袋部にリストバンド部が一体連続しているので取り扱い易く、はめた状態でリストバンド部により適宜の力で締め付けられるため、重量物を持してもずれてしまうことは無く、各種の作業がやり易く、常に手首はリストバンド部により覆われて保護されているので、安全である。【０００８】また、手首は、襟首、足首と共に寒気に敏感な箇所であるが、本考案ではリストバンド部により確実な防寒が果たされる。【０００９】そして、汗をかいたときに簡単にこのリストバンド部で拭うことができ、衛生的である等、本考案の手袋は多くの優れた作用効果を奏する。
【図面の簡単な説明】
【００１０】
【図１】  手首端に、手首を覆う、伸縮自在な筒状のリストバンド部を一体延長したことを特徴とする手袋の図
【考案を実施するための形態】
【００１１】手袋部（２）の手首端に、手首を覆う、伸縮自在な筒状のリストバンド部（３）を一体延長したことを特徴とする手袋であり、防寒・手首への損傷・衝撃・紫外線から守り、耐熱、タッチパネル対応としたものである。
【実施例】
【００１２】肉厚にするために上部で太い糸を使用することで、リストバンドのサポート力が高まる。
【産業上の利用可能性】
【００１３】野外での作業の他、医療分野でも活用出来る。
【符号の説明】１手袋
２手袋部
３リストバンド部
【図１】
0003193956.tif 000003
(57)【要約】      （修正有）【課題】インスタント食品に添える、だし、具は、紙袋やビニール質の袋に入れているため、熱湯を注ぐ前に、手かハサミで切らねばならない。また、その時、手やハサミに付着しただし、具を洗わねばならないため、食べる前に相当の手間がかかっている。このような手間を省き、蓋をとって、直ぐ、熱湯を注いで食べられるようにするインスタント食品用熱湯に溶けるだし及び具袋を提供する。【解決手段】オブラートで袋４を形成し、だしと具を別々の袋５，６に入れて密封し、インスタント食品に添えるようにした。これにより、インスタント食品を食べる時、蓋をとって直ぐ熱湯を注ぐことができる。【選択図】図１
0003193917.tif 000002
【実用新案登録請求の範囲】
【請求項１】
オブラートで袋を形成し、該別々の袋に乾燥しただし、具を別々に入れて密封し、固形化しただし、具は別々のオブラーで別々に包んで密封し、また、薬用カプセルを大きく形成し、該別々のカプセルに液状のだし、具を別々に封入してなる以上のだし、具を適宜組合せてインスタント食品に添えるようにした、インスタント食品用熱湯に溶けるだし、具袋。
【考案の詳細な説明】
【技術分野】
【０００１】  本考案は、インスタント食品を手間をかけずに食べられるようにしたインスタント食品用熱湯に溶けるだし、旦袋に関する。
【背景技術】
【０００２】  従来、インスタント食品に添える、だし、具は、紙袋やビニール質の袋に入れているため、熱湯を注ぐ前に、手かハサミで切らねばならない。また、その時、手やハサミに付着しただし、具を洗わねばならないため、食べる前に相当の手間がかかっている。
【考案の概要】
【考案が解決しようとする課題】
【０００３】  本考案は、上述のような手間を省き、蓋をとって、直ぐ、熱湯を注いで食べられるようにすることを目的とする。
【課題を解決するための手段】
【０００４】  そして、本考案は、オブラートで袋を形成し、該別々の袋に乾燥しただし、具を別々に入れて密封するか、固形化したときは、別々のオブラートで別々に密封し、また、薬用カプセルを大きく形成し、該別々のカプセルに液状のだし、具を別々に封入してなる以上のだし、具を適宜組合せてインスタント食品に添えるようにして、問題を解決した。
【考案の効果】
【０００５】  上述のように、インスタント食品に添えるだし、具をオブラートや薬用カプセルに密封、封入したので、食べる時、手間がかからず、蓋をとって直ぐ熱湯を注ぐことができる。と、同時に、オブラートや薬用カプセルが溶けて、だしが食品にしみ込んで味付けし、具は、食べる時混ぜれば風味を増し、オブラートや薬用カプセルに封じ込められていた香りも加はって、今以上においしく食べることができる。
したがって、食べる時に手間がかからず、蓋をとって直ぐ食べられる本考案が、真の意味のインスタント食品と言うことができる。
【図面の簡単な説明】
【０００６】
【図１】本考案の縦断正面図
【図２】固形化した、だし、具をオブラートで包んで密封した斜視図
【図３】液状のだし、旦を封入するため大きく形成した薬用カプセル
【考案を実施するための形態】
【０００７】  インスタント食品に添えるだし、旦をオブラートや薬用カプセルに入れて密封または封入した。
【実施例】
【０００８】  以下、添付図面について、本考案の一実施例を説明する。１は容器、２は蓋、３はインスタト食品、４はオブラートで形成した袋で、一方は乾燥しただし５を、他方は乾燥した具６を入れて密封している。７は熱湯で溶けやすいように薄形に固形化しただしまたは具で、別々のオブラート８に包んで密封している。９は大きく形成した薬用カプセルで、液状のだし、具を別々の薬用カプセルに封入している。
なお、以上において、袋４と薬用カプセル９には、だしと具を混ぜて密封、封入してもよく、だしと具を混ぜて固形化してもよい。また、香辛料はオブラート８で小型の袋を形成して密封するか、小型の薬用カプセルに封入してもよい。【０００９】  以上のことから、インスタント食品を食べる時は、蓋をとり次第、熱湯を注ぐだけで、直ぐ食べることができる。
【符号の説明】
【００１０】１  容器
２  蓋
３  インスタント食品
４  袋
５  乾燥しただし
６  乾燥した具
７  固形化しただし、具
８  オブラート
９  薬用カプセル
【図１】
0003193917.tif 000003
【図２】
0003193917.tif 000004
【図３】
0003193917.tif 000005
【手続補正書】
【提出日】平成26年8月12日(2014.8.12)
【手続補正２】
【補正対象書類名】実用新案登録請求の範囲
【補正対象項目名】全文
【補正方法】変更
【補正の内容】
【実用新案登録請求の範囲】
【請求項１】
オブラートで袋を形成し、だしと具を別々の袋に入れて密封し、インスタント食品に添えるようにしたインスタント食品用熱湯に溶けるだし及び具袋。
【請求項２】
薬用カプセルを大きく形成し、液状のだしと具を別々のカプセに入れて密封し、インスタント食品に添えるようにしたインスタント食品用熱湯に溶けるだし及び具袋。
(57)【要約】      （修正有）【課題】搬入・搬出時間を短縮するために複数枚の苗箱を楽に運搬できる苗箱運搬具を提供する。【解決手段】苗箱１７を水平に載置できる載置部下段１２ａ、載置部上段１２ｂを有する苗枠体１１を身体前面に装着するためのベルト体１５を苗枠体１１に設ける。これにより、一貫して一つの運搬具で複数枚を運搬できることと、身体前面で手動作が容易に行えるため次動作がすぐ行えることにより、作業時間の大幅な短縮につながる。【選択図】図１
0003193947.tif 000002
【実用新案登録請求の範囲】
【請求項１】
苗箱を水平に載せられる多段の載置部を有した苗枠体を身体前面に装着するためのベルト体を前記苗枠体に設けたことを特徴とする苗箱運搬具。
【考案の詳細な説明】
【技術分野】
【０００１】本考案は水稲苗箱運搬具に関するものである。
【背景技術】
【０００２】従来、苗箱を水平に載置するハンドル付きの苗箱運搬具があった。（例えば実用新案文献１）手提げするので長い通路を歩いて運ぶと手や腕が疲れる。この運搬具は搬出の際トラックと一緒に運ばれてしまうので、育苗ハウス側に多くの運搬具を備えておく必要がある。
【先行技術文献】
【実用新案文献】
【０００３】
【実用新案文献１】
実開平５−３７０１１号公報
【考案の概要】
【考案が解決しようとする課題】
【０００４】従来、育苗ハウス内での水稲苗箱運搬は、苗箱は重い（搬入時約４ｋｇ、搬出時約７ｋｇ）ため手では通常１〜２枚程度しか持てないので、膨大な数の苗箱（何百枚〜何千枚）を長い育苗ハウスを何度も往復して運搬するには多大な時間がかかるという問題があった。実用新案文献１の考案は、複数枚を載置できるが、手提げするので手や腕が疲れてしまい膨大な数の苗を育苗ハウス内で繰返し運搬するには不適である。【０００５】本考案は、複数枚（２〜４枚）の苗箱を安価な道具で楽に保持できるようにすることにより、育苗ハウス内での水稲苗箱運搬の作業時間の短縮を図ろうとするものである。
【課題を解決するための手段】
【０００６】苗箱を水平に載せられる多段の載置部を有した苗枠体を身体前面に装着するためのベルト体を前記苗枠体に設けた苗箱運搬具とした。
【考案の効果】
【０００７】複数の苗箱を身体前面にベルト体で保持することで運搬歩行中は手を本運搬具に添える程度でよいため、手や腕に力が掛からないので楽に運搬できる。【０００８】さらに、搬入時は、身体装着なので通路歩行後本運搬具を地面に置くことなく苗箱並べに移行できる。【０００９】そして、搬出時は、成長した苗を積重ねることなく載置部上段、下段にほぼ水平に載せて本運搬具装着状態でトラック荷台積載の苗棚に苗箱を載置することができる。【００１０】以上のように、一貫して一つの運搬具で複数枚を運搬できることと、身体前面で手動作が容易に行えるため次動作がすぐ行えることにより、作業時間の大幅な短縮につながる。時間短縮については実施例で詳しく述べる。
【図面の簡単な説明】
【００１１】
【図１】本考案の一実施例  斜視図
【図２】本考案の一実施例  搬入時の状態
【図３】本考案の一実施例  搬出時の状態
【図４】基本動作時間と歩行スピード
【図５】搬入時の時間短縮の表
【図６】搬出時の時間短縮の表
【考案を実施するための最良の形態】
【００１２】まず、本運搬具のベルト体１５を図２のように首元に掛け、面ファスナー接着面１６ａを面ファスナー被接着面１６ｂ（図１参照）に合し止める。【００１３】次に、搬入作業について述べる。育苗ハウスの入口外には播種・発芽後の苗箱１７が積まれている。一度に３枚取出し、載置部下段１２ａに重ねたまま載置する。（図２参照）通路を歩き目標地点に着いたら腰と膝を落とし苗箱１７を１枚づつ地面に横方向に並べる。立上がり通路を歩き入口に戻る。これを繰返す。全て搬入したら灌水など育苗管理作業を経て苗が成長し約３週間で移植適期となる。【００１４】次に、搬出作業について述べる。目標地点で腰と膝を落とし苗成長後の苗箱１７を１枚づつ取出し載置部下段１２ａ、載置部上段１２ｂに載置する。（図３参照）立上がり通路を歩き育苗ハウス入口外のトラック荷台に積載されている苗棚１８に本運搬具から苗箱１７を１枚づつ載置する。これを繰返す。【００１５】以上のように搬入、搬出を通じ一貫して本運搬具を使用できる。
【実施例】
【００１６】間口４．５ｍ  長さ（内寸）２５．２ｍ  苗箱５００枚  横向き３条×８４列×２（中央に通路）  の育苗ハウスにおいて、搬入（例として３枚の場合）、搬出の場合について、慣行（手作業）と本運搬具使用（いずれも２人作業で通路を挟んで左右に分かれる）の作業時間を比較した。【００１７】まず、基本動作の「取出し」、「苗箱並べ」、「トラック積載苗棚への載置」の時間及び「歩行スピード」を実測した。（図４参照）【００１８】そして、１サイクルを小計とし繰返し回数を掛けて合計とした。搬入の場合、慣行２．２５時間に対し本運搬具使用は０．９４時間となった。搬出の場合は慣行２．２５時間に対し本運搬具使用は１．４時間となった。時間短縮割合は、搬入時５８％、搬出時３８％となった。
【符号の説明】
【００１９】１１    苗枠体
１２ａ  載置部下段
１２ｂ  載置部上段
１３    側板
１４    後板
１５    ベルト体
１６ａ  面ファスナー接着面
１６ｂ  面ファスナー被接着面
１７    苗箱
１８    苗棚
【図１】
0003193947.tif 000003
【図２】
0003193947.tif 000004
【図３】
0003193947.tif 000005
【図４】
0003193947.tif 000006
【図５】
0003193947.tif 000007
【図６】
0003193947.tif 000008
(57)【要約】      （修正有）【課題】ネックレス、ブレスレット等の装身具の連結部分に磁石を使用せずに目視出来ない首の後部においても容易に連結することが出来るとともに、連結部に確実な連結状態を保持させることができながら、容易にはずす事が出来る連結金具を提供する。【解決手段】雌側連結金具内にバネを固定するとともに内径リング状溝の収納部分６及び挿入溝５を形成し挿入パーツ２を挿入、バネの力によりバネ可動部分３を押すことにより挿入パーツ２を金具内の収納部分６で保持させる。【選択図】図１
0003193950.tif 000002
【実用新案登録請求の範囲】
【請求項１】
環状にして用いるネックレスあるいはブレスレット等装身具の開放端に連結部材を設けた一対の連結金具において機械的掛止手段を備えたことを特徴とする連結金具。
【請求項２】
前記、掛止手段は雌側金具内径にリング状溝を形成してリング状溝内にて突部を掛止させるとともにバネの張力により掛止位置を保持するように構成したことを特徴とする連結金具。
【考案の詳細な説明】
【技術分野】
【０００１】本考案は、ネックレス、ブレスレット等の装身具連結金具に関するものである。
【背景技術】
【０００２】  ネックレス、ブレスレット等装身具の金具において脱着が容易な磁石を使用していることにより起こる磁力による時計や精密機械への磁力による影響を抑える。
【考案の概要】
【０００３】  ネックレス、ブレスレット等の装身具の脱着部分に磁石を使用しない事により磁力の影響をなくす。
【課題を解決するための手段】
【０００４】本考案は磁力をもたないバネを使用してネックレス、ブレスレット等の装身具の着脱を容易にする為の金具を作り問題を解決している。
【考案の効果】
【０００５】  上記の様に本考案のＹＡＴ式アクセサリー金具は留め具としては勿論、同規格ならば連結することにより延長することも可能である。磁力も無く身体からの着脱も容易になった。
【図面の簡単な説明】
【０００６】
【図１】本考案の斜図である。
【０００７】
【図２】本考案の正面図である。
【０００８】
【図３】本考案の左右側面図である。
【０００９】
【図４】本考案の前後側面図である。
【００１０】
【図５】本考案の下面図である。
【００１１】
【図６】本考案の断面図である。
【考案を実施するための形態】
【００１２】  本体パーツ▲２▼を押し入れることにより溝上にある▲３▼が▲２▼に押されて本体内バネを縮めることにより▲２▼が本体内へおさまる。挿入後はバネが戻ることにより▲２▼が押されて本体内▲６▼へおさまる事により容易に外れることはなくなる。
【産業上の利用可能性】
【００１３】  本考案は挿入部分以外の側面部分への装飾により元来の接続商品としての役割だけでなく接続もできる装飾具になりえるものである。
【符号の説明】
【００１４】１．  本体
２．  挿入パーツ
３．  バネ可動部分
４．  本体内バネ
５．  挿入溝
６．  収納部分
【図１】
0003193950.tif 000003
【図２】
0003193950.tif 000004
【図３】
0003193950.tif 000005
【図４】
0003193950.tif 000006
【図５】
0003193950.tif 000007
【図６】
0003193950.tif 000008
(57)【要約】      （修正有）【課題】指を挟む危険や、構造の複雑化の原因となる鉛筆送り装置を必要としない、手動の機械式鉛筆削り器を提供する。【解決手段】螺旋状の切削刃６と、前記螺旋状の切削刃６を内部に格納した手動の機械式鉛筆削り器本体７と、固定のクリップ板と固定のクリップ板と引きバネで接続される可動のクリップ板２とから成る、機械式鉛筆削り器本体７の前面に設置されたクリップ装置とを備えたことを特徴とする。【選択図】図１
0003193910.tif 000002
【実用新案登録請求の範囲】
【請求項１】
螺旋状の切削刃６を回転させて鉛筆を削る手動の機械式鉛筆削り器本体７と、鉛筆を保持するためのクリップ装置とを備えるが、鉛筆を切削刃６に向けて送る鉛筆送り装置は必要としないことを特徴とする鉛筆削り器。
【考案の詳細な説明】
【技術分野】
【０００１】  本考案は、鉛筆送り装置を必要としない手動の機械式鉛筆削り器に関する。
【背景技術】
【０００２】  従来、普及している手動の機械式鉛筆削り器では、回転する螺旋状の切削刃に鉛筆の削る部位を押し当てる為、鉛筆を回転しないようにクリップした状態で切削刃の方へ送る装置が備わっている。この例として、クリップ装置を鉛筆削り器本体から引き離した状態で鉛筆を挟み、押しバネの反発力を利用して鉛筆を切削刃の方へ送る一般的な鉛筆送り装置の他に、実用新案文献１に開示されているものがある。
【実用新案文献１】
登録実用新案第３１８０９９２号公報
【考案の概要】
【考案が解決しようとする課題】
【０００３】  しかし、前記押しバネを利用する鉛筆送り装置では、鉛筆削り器本体とクリップ装置の隙間に指を挟む危険があり、また、クリップ装置を鉛筆削り器本体からある程度引き離す必要があるので、一定以上の長さの鉛筆しか削れない。他方、前記文献１に開示されている鉛筆送り装置では、鉛筆削り器の構造が複雑になる。本考案は、鉛筆送り装置を必要としない手動の機械式鉛筆削り器の提供を課題とする。
【課題を解決するための手段】
【０００４】  この課題を解決するための請求項１の考案は、切削刃６に鉛筆Ｐの削られる部位が接した状態で、鉛筆削り器のレバー８を矢印Ｒの方向に回すと、切削刃６が螺旋状であるが故に、鉛筆Ｐを切削刃６に押し当てる方向（矢印Ａの方向）へ送る力が働くことを利用する為、鉛筆送り装置を備える必要のない手動の機械式鉛筆削り器である。ここで、鉛筆Ｐを保持するクリップ装置が無い場合、鉛筆Ｐは切削刃６と連れ回る為、削ることはできない。また、クリップ力が強過ぎて鉛筆Ｐが回転できない場合も、鉛筆Ｐを切削刃６に押し当てる方向に送ることができない為、鉛筆送り装置無しに鉛筆Ｐを削ることはできない。従って、本考案の鉛筆削り器に備えるクリップ装置は、鉛筆Ｐが切削刃６と連れ回る回転力をある程度抑えることができるが、完全にこの回転力をゼロにはしない程度のクリップ力を持つものとする。
【考案の効果】
【０００５】  本考案により、鉛筆送り装置を必要としない手動の機械式鉛筆削り器を提供できる。鉛筆を削る際、鉛筆削り器本体とクリップ装置の隙間に指を挟む危険はなくなり、クリップ装置を鉛筆削り器本体から引き離すタイプの場合より短い鉛筆も削れるようになる。また、鉛筆削り器の構造もシンプルとなる。
【図面の簡単な説明】
【０００６】
【図１】  本考案に係る鉛筆削り器の右側面図である。
【図２】  本考案に係る鉛筆削り器の、クリップ装置の表面板を除く正面図である。
【考案を実施するための形態】
【０００７】  本考案に係る鉛筆送り装置を必要としない手動の機械式鉛筆削り器（図１）は、螺旋状の切削刃６、それを回転させる為の手回しレバー８等からなる一般的な鉛筆削り器の本体７と、それに固定されたクリップ装置（図２）からなる。このクリップ装置は、鉛筆の通る穴を備え鉛筆削り器本体７に固定される裏板３と、この裏板３に固定されるクリップ板１と、このクリップ板１と上下各１本の引きバネ５で接続される可動のクリップ板２と、鉛筆の通る穴を備えクリップ板１に固定される表面板９とからなる。クリップ板１とクリップ板２の鉛筆をクリップする面には、それぞれラバー板４が接着してあり、クリップ力を強化している。
【符号の説明】
【０００８】  １      固定のクリップ板
２      可動のクリップ板
３      クリップ装置の裏板
４      クリップ板に接着されているラバー板
５      固定のクリップ板と可動のクリップ板を接続する引きバネ
６      螺旋状の鉛筆切削刃
７      手動の機械式鉛筆削り器本体
８      鉛筆削り器の手回しレバー
９      クリップ装置の表面板
Ａ      削る鉛筆を切削刃６へ押し当てる方向
Ｐ      削る鉛筆
Ｒ      鉛筆を削る際、手回しレバー８を回す方向
【図１】
0003193910.tif 000003
【図２】
0003193910.tif 000004
【手続補正書】
【提出日】平成26年4月23日(2014.4.23)
【手続補正１】
【補正対象書類名】実用新案登録請求の範囲
【補正対象項目名】全文
【補正方法】変更
【補正の内容】
【実用新案登録請求の範囲】
【請求項１】
螺旋状の切削刃６を回転させて鉛筆を削る手動の機械式鉛筆削り器本体７と、鉛筆を保持するためのクリップ装置（図２）と、を備えた鉛筆削り器。
【手続補正書】
【提出日】平成26年7月30日(2014.7.30)
【手続補正１】
【補正対象書類名】実用新案登録請求の範囲
【補正対象項目名】全文
【補正方法】変更
【補正の内容】
【実用新案登録請求の範囲】
【請求項１】
螺旋状の切削刃（６）と、前記螺旋状の切削刃（６）を内部に格納した手動の機械式鉛筆削り器本体（７）と、固定のクリップ板（１）と前記固定のクリップ板（１）と引きバネ（５）で接続される可動のクリップ板（２）とから成る、前記機械式鉛筆削り器本体（７）の前面に設置されたクリップ装置とを備えた、鉛筆削り器。
(57)【要約】      （修正有）【課題】衣類や、カーペット類に絡んだペットの抜け毛を、簡単な作業で効率よく除去する事ができる清掃用具を提供する。【解決手段】カーペット類に絡みついたペットの抜け毛を取る清掃用具はＴ字形をし、材質は本体３と柄２はプラスチック系、掻き出すためのゴム部４はゴム系で出来ており、ゴム部のゴムは平たく、長さが２０ｃｍ程あり、本体は傾斜を付けることで柄が持ちやすくなり、引く力が入りやすいことを特徴とする。絡んでいた毛が、ゴムの摩擦力で、効率よく引き抜かれる。引き抜いた毛は、ゴム部で掻き集め除去する。【選択図】図３
0003193923.tif 000002
【実用新案登録請求の範囲】
【請求項１】
カーペット類に絡みついたペットの抜け毛を取る清掃用具（１）はＴ字形をし、材質は本体（３）と柄（２）はプラスチック系、（４）はゴム系で出来ている。（４）のゴムは平たく、長さが２０ｃｍ程ある。（３）は傾斜を付けることで（２）の柄が持ちやすくなり、引く力が入りやすい。
【考案の詳細な説明】
【技術の分野】
【０００１】  本考案は、衣類やカーペット類に絡んだペットの抜け毛を、簡単に効率よく除去する事を目的とした清掃用具に関するものである。
【背景技術】
【０００２】  従来、ペットの抜け毛を除去するには、掃除機、粘着ローラー、ブラシ等が使われている。
【考案が解決しょうとする課題】
【０００３】  犬や猫などペットを室内で飼うと、抜け毛が飼い主の悩みである。特にカーペット類、マット類、靴下などは抜け毛を踏むことにより、繊維に絡みつく。
従来の掃除機、粘着ローラー、ブラシ等の清掃は表面に付いている毛はある程度取れるが、繊維に絡んだ毛は容易に取ることができない。
また、カーペットに接する家具や壁などの角や隅の隙間は、抜け毛が溜まりやすく、掃除機は吸引力を上げても吸い取れず、粘着ローラーやブラシは狭い隙間は届かない。
本考案は、衣類やカーペット類に絡んだ毛や、カーペット類と家具の隙間に入り込んだ毛を、簡単に効率よく取り除く清掃用具を提供する事を目的としている。
【課題を解決するための手段】
【０００４】  そのための手段として、ゴムの性質を利用する。物と物が接するとその間に摩擦力が発生する。この摩擦力は物同士が接している面の状態と、物同士が接する力によって決まる。普通の固形の物体は平らなもの同士が接しているように見えてもほぼ点でしか接していない。しかしゴムはしなやかに変形し、接する面積に比例して大きくなる。このようにゴムは外から力をかけると変形する。そして変形したゴムは元の形に戻ろうとし、表面の摩擦力が増幅される。
【０００５】  この性質を利用し、カーペット類に絡みついたペットの抜け毛を取り去る事を提供する。これは柄を含むＴ字型の本体部とこの本体部に具備しているゴム部から構成されている。
そこで、絡んだ毛や繊維の奥に入り込んだ毛がある清掃面に、ゴム部を押し当てたまま手前にこすりながら引くと、摩擦力によって引き抜く事ができる。
また、ゴムは平らで長さが２０ｃｍ程あり、１度に広範囲の抜け毛を引き抜く事ができる。さらに、角や隅の隙間にも入りやい形状となっているため、溜まっている毛を掻きだす事もできる。
本考案は、以上の構成によりなる清掃用具である。
【考案の効果】
【０００６】  よって本考案は、持ちやすい形状で作業がしやすく、簡単に絡んだペットの抜け毛を除去する事ができる清掃用具である。また、付属の部品や、消費するものもなく、経済的である。
【図面の簡単な説明】
【０００７】
【図１】  考案した掃除用具の真上図
【図２】  考案した掃除用具の側面図
【図３】  考案した掃除用具の斜視図
【考案を実施するための形態】
以下、本考案を実施するための形態について説明する。
【０００８】  本体（１）はＴ字形をし（２）の柄を握り（４）のゴム部を清掃面に押し当てたまま手前にこすりながら引く事により、絡んでいるペットの抜け毛を、ゴムの摩擦力によって引き抜くことができる。
【０００９】（２）の柄と（３）の本体部の材質はプラスチック系で軽い。
（３）は傾斜を付けることで（２）の柄が持ちやすくなり、引く力が入りやすい。
（４）の素材はゴム系で、形状が平たく幅が２０ｃｍ程あるため、狭い隙間にも入りやすい。
本考案は、以上のような構造である。
【符号の説明】
【００１０】１  清掃用具
２  柄
３  本体
４  掻き出すためのゴム部
【図１】
0003193923.tif 000003
【図２】
0003193923.tif 000004
【図３】
0003193923.tif 000005
【手続補正書】
【提出日】平成26年8月13日(2014.8.13)
【手続補正１】
【補正対象書類名】実用新案登録請求の範囲
【補正対象項目名】全文
【補正方法】変更
【補正の内容】
【実用新案登録請求の範囲】
【請求項１】
カーペット類に絡みついたペットの抜け毛を取る清掃用具（１）はＴ字形をし、材質は本体（３）と柄（２）はプラスチック系、掻き出すためのゴム部（４）はゴム系で出来ており、掻き出すためのゴム部（４）のゴムは平たく、長さが２０ｃｍ程あり、本体（３）は傾斜を付けることで柄（２）が持ちやすくなり、引く力が入りやすいことを特徴とするカーペット類に絡みついた毛を除去する清掃用具。
(57)【要約】      （修正有）【課題】咄嗟時のベル音出しができる自転車用振動ベルを提供する。【解決手段】台座の上に二枚の板バネが設けられた自転車用振動ベルにおいて、板バネの上端に重り１が取り付けられ、板バネの両側に受け台５が、重り１と接触可能な位置に設置される。【選択図】図１
0003193922.tif 000002
【実用新案登録請求の範囲】
【請求項１】
ハンドルから手を離さず自転車本体の揺れでベルより音が出る。
【考案の詳細な説明】
【考案の詳細な説明】
【産業上の利用分布】
【０００１】緊急時の音出しが俊敏にできる。
【背景技術】
【０００２】ハンドルから手を離す動。
【考案が解決しようとする課題】
【０００３】咄嗟時のベル音出しができる。
【課題を解決しようとする手段】
【０００４】緊急時の音出し。
【作用】
【０００５】自転車の動きの動作。
【実施例】
【０００６】咄嗟の音出し。
【考案の効果】
【０００７】危険時の退避。
【図面の簡単な説明】
【０００８】
【図１】平面図
【図２】断面図
【図３】断面図
【符号の説明】
【０００９】１………  重り
２………  板バネ
３………  音出しカバー
４………  台座
５………  受け台
【図１】
0003193922.tif 000003
【図２】
0003193922.tif 000004
【図３】
0003193922.tif 000005
【手続補正書】
【提出日】平成26年8月6日(2014.8.6)
【手続補正１】
【補正対象書類名】実用新案登録請求の範囲
【補正対象項目名】全文
【補正方法】変更
【補正の内容】
【実用新案登録請求の範囲】
【請求項１】
台座の上に二枚の板バネが設けられた自転車用振動ベルにおいて、前記板バネの上端に重りが取り付けられ、板バネの両側に受け台が、前記重りと接触可能な位置に設置去れたことを特徴とする、自転車用振動ベル。
(57)【要約】      （修正有）【課題】スマートフォンなど小型情報端末機器の充電コストをゼロにし、電池パック利用のレアメタルも半減できる小型情報端末機器用電池パック及び小型情報端末機器用充電器を提供する。【解決手段】スマートフォンなどの小型情報端末機器用の電池パックを小型振動発電機とリチウムイオン二次電池を一体化させ、自然充電ならびに自己充電型の電池パックとする。シャカシャカ振れば発電し電池パックに充電できるチャージャーとする。これにより、スマートフォンなど小型情報端末機器ユーザーの大多数が持つ電池切れのストレスが解消される。スマートフォンなど小型情報端末機器を携帯すれば、歩きながら発電し常時給電できる。電池残量が気になったら、シャカシャカ振れば発電し給電でき、充電コストがゼロになる。【選択図】図５
0003193966.tif 000002
【実用新案登録請求の範囲】
【請求項１】
小型振動発電機とリチウムイオン二次電池を合体した小型情報端末機器用電池パック。
【請求項２】
小型振動発電機による小型情報端末機器用充電器。
【考案の詳細な説明】
【技術分野】
【０００１】
本発明は、スマートフォンなど小形情報端末機器の自己充電方式電池パックならびに充電器に関するものである。
【背景技術】
【０００２】
スマートフォンなど小型情報端末機器に使用される電池パックはリチウムイオン二次電池であり、小型化を求めながら高出力と持続時間延長の課題を持ちつつ改良が続けられている。
【０００３】
エネルギーハーベスティング技術として小型振動発電機による発電効率向上の研究が進められている。
【考案の概要】
【考案が解決しようとする課題】
【０００４】
スマートフォンなど小型情報端末機器用リチウムイオン二次電池の技術革新を進めても、多機能化やアプリケーションの多様化で1回の充電で利用できる時間が制限されている。
【０００５】
小形振動発電技術は開発段階にあり、現時点では単体でのスマートフォンなど小型情報端末機器用電源供給には開発課題が残されている。
【課題を解決するための手段】
【０００６】
スマートフォンなどの小型情報端末機器用の電池パックを小型振動発電機とリチウムイオン二次電池を一体化させ、自然充電ならびに自己充電型の電池パックとする。
【０００７】
自然充電ならびに自己充電型の電池パックのほか、シャカシャカ振れば発電し電池パックに充電できるチャージャーとする。
【考案の効果】
【０００８】
・スマートフォンなど小型情報端末機器ユーザーの大多数が持つ電池切れのストレスが解消される
【０００９】
スマートフォンなど小型情報端末機器を携帯すれば、歩きながら発電し常時給電できる。
【００１０】
スマートフォンなど小型情報端末機器の電池残量が気になったら、シャカシャカ振れば発電し給電できる。
【００１１】
充電コストがゼロになる。
【００１２】
リチウムイオン二次電池や予備バッテリー製造用のレアメタルを大幅削減できる
【００１３】
安価な振動発電機との一体化で、スマートフォンなど小型情報端末機器用電池パックの製造コストが削減できる
【図面の簡単な説明】
【００１４】
【図１】図１は、この方法による、シャカシャカバッテリーパック（電池パック）の図である。
【図２】図２は、この方法により創造できるシャカシャカバッテリーチャージャー（充電器）の図である。
【図３】図３は、シャカシャカ発電機の試作機製作フローチャートである。
【図４】図４は、シャカシャカバッテリーパックの開発フローチャートである。
【図５】図５は、シャカシャカバッテリーパックを使用するイメージである。
【考案を実施するための形態】
【００１５】
試作機を製作し、自然発電や自己発電容量と給電効率の検証を行い、開発図書類をまとめる。
「試作品製作フローチャート」参照
【００１６】
精密加工技術、電子回路、電源回路とリチウムイオン二次電池製造技術を融合させる。
「開発フローチャート」参照
【産業上の利用可能性】
【００１７】
シャカシャカバッテリーは既存次世代電池パックとなり電池切れのない電池パックとして利用者からの支持を得られ、広義にはエネルギーハーベストによる省エネへの貢献とリチウムの削減に寄与できる。
【図１】
0003193966.tif 000003
【図２】
0003193966.tif 000004
【図３】
0003193966.tif 000005
【図４】
0003193966.tif 000006
【図５】
0003193966.tif 000007